【手続補正書】
【提出日】平成18年8月3日(2006.8.3)
【手続補正１】
【補正対象書類名】特許請求の範囲
【補正対象項目名】全文
【補正方法】変更
【補正の内容】
【特許請求の範囲】
【請求項１】
複数の通信端末により構成され、第１の通信端末から発信されて第２の通信端末を経由して第３の通信端末に送信されるメッセージに基づいて、上記第２及び第３の通信端末が上記第１の通信端末までの経路を作成し、当該作成した上記経路を介して上記第１及び第３の通信端末間で通信する通信システムにおいて、
上記第２及び第３の通信端末は、
上記メッセージを重複して受信することにより上記第１の通信端末までの上記経路を複数作成する経路作成手段と、
上記経路作成手段により作成された複数の上記経路を記憶し、管理する経路管理手段と
を具え、
上記経路管理手段は、
作成した上記複数の経路の中から１つの上記経路を上記第１の通信端末までの通信経路として設定する一方、当該通信経路を必要に応じて上記複数の経路のうちの他の上記経路に切り換える
ことを特徴とする通信システム。
【請求項２】
上記第２の通信端末は、
上記受信した上記メッセージに自己の第１の識別情報を付加して転送する一方、上記メッセージを受信したときに、当該メッセージに上記自己の第１の識別情報が付加されていたときには、当該メッセージを破棄する
ことを特徴とする請求項１に記載の通信システム。
【請求項３】
上記第３の通信端末は、
作成した上記経路ごとに上記メッセージに対する応答を送信する
ことを特徴とする請求項１に記載の通信システム。
【請求項４】
上記第３の通信端末は、
上記返答を、所定の第２の識別情報を付加して送信し、
上記第２の通信手段は、
送信されてくる上記返答を、上記メッセージの転送時に作成した経路に転送する一方、過去に受信した上記返答と同じ上記第２の識別情報が付加された上記返答を受信したときには、当該返答を破棄する
ことを特徴とする請求項３に記載の通信システム。
【請求項５】
上記第１の通信端末は、
上記第３の通信端末からの最初の上記返答を受信後所定時間が経過し、又は上記第３の通信端末から所定数の上記返答を受信してから、上記第３の通信端末との通信を開始する
ことを特徴とする請求項１に記載の通信システム。
【請求項６】
第１の上記通信端末から発信されて第２の上記通信端末を経由して第３の上記通信端末に送信されるメッセージに基づいて、上記第２の通信端末が上記第１の通信端末までの経路を作成し、当該作成した上記経路を介して上記第１及び第３の通信端末間で通信する通信方法において、
上記第２及び第３の通信端末が、上記メッセージを重複して受信することにより上記第１の通信端末までの上記経路を複数作成する第１のステップと、
上記第２及び第３の通信端末が、作成した複数の上記経路を記憶し、管理する第２のステップと
を具え、
上記第２のステップでは、
上記第２又は第３の通信端末が、作成した上記複数の経路の中から１つの上記経路を上記第１の通信端末までの通信経路として設定する一方、当該通信経路を必要に応じて上記複数の経路のうちの他の上記経路に切り換える
ことを特徴とする通信方法。
【請求項７】
所望する第１の通信端末を送信先とする所定のメッセージを送信する送信手段と、
上記第１の通信端末から発信され、第２の通信端末を経由して転送されてきた上記メッセージに対する応答を重複して受信することにより、上記第１の通信端末までの経路を複数作成する経路作成手段と、
上記経路作成手段により作成された上記複数の経路を記憶し、管理すると共に、当該複数の経路の中から１つの上記経路を通信経路として設定する経路管理手段と、
設定された上記通信経路を通じて上記第１の通信端末と通信する通信手段と
を具え、
上記経路管理手段は、
上記通信経路を必要に応じて上記複数の経路のうちの他の上記経路に切り換える
ことを特徴とする通信端末装置。
【請求項８】
上記通信手段は、
上記経路作成手段が最初の上記応答を受信後所定時間が経過し、又は上記第１の通信端末から所定数の上記返答を受信してから、当該第１通信端末との通信を開始する
ことを特徴とする請求項７に記載の通信端末装置。
【請求項９】
上記経路管理手段は、
作成した各上記経路に対して所定の基準に基づいて優先順位を設定し、当該優先順位の高い上記経路を優先的に上記通信経路に設定する
ことを特徴とする請求項７に記載の通信端末装置。
【請求項１０】
上記経路管理手段は、
作成した各上記経路の所定情報をリスト化して管理する
ことを特徴とする請求項７に記載の通信端末装置。
【請求項１１】
上記経路管理手段は、
上記経路の通信状況に応じて上記基準を動的に変更し、作成した各上記経路に対する上記優先順位を再設定する
ことを特徴とする請求項８に記載の通信端末装置。
【請求項１２】
上記経路管理手段は、
作成した上記複数の経路のうち、所定時間使用されない上記経路を削除する
ことを特徴とする請求項７に記載の通信端末装置。
【請求項１３】
上記経路管理手段は、
作成した上記経路が予め定められた最大数を超えたときは、時間的に古い上記経路から順に削除する
ことを特徴とする請求項７に記載の通信端末装置。
【請求項１４】
所望する第１の通信端末を送信先とする所定のメッセージを送信する第１のステップと、
上記第１の通信端末から発信され、第２の通信端末を経由して転送されてきた上記メッセージに対する応答を重複して受信することにより上記第１の通信端末までの経路を複数作成する第２のステップと、
作成された複数の上記経路の中から１つの上記経路を通信経路として設定し、当該通信経路を通じて上記第１の通信端末と通信する第３のステップと
を具え、
上記第３のステップでは、
上記通信経路を必要に応じて上記複数の経路のうちの他の上記経路に切り換える
ことを特徴とする通信端末装置の制御方法。
【請求項１５】
上記第３のステップでは、
最初の上記応答を受信後所定時間が経過し、又は上記第１の通信端末から所定数の上記返答を受信してから、当該第１通信端末との通信を開始する
ことを特徴とする請求項１４に記載の通信端末装置の制御方法。
【請求項１６】
所望する第１の通信端末を送信先とする所定のメッセージを送信する第１のステップと、
上記第１の通信端末から発信され、第２の通信端末を経由して転送されてきた上記メッセージに対する応答を重複して受信することにより上記第１の通信端末までの経路を複数作成する第２のステップと、
作成された複数の上記経路の中から１つの上記経路を通信経路として設定し、当該通信経路を通じて上記第１の通信端末と通信すると共に、当該通信経路を必要に応じて上記複数の経路のうちの他の上記経路に切り換える第３のステップと
を具える処理をコンピュータに実行させるためのプログラム。
【請求項１７】
第１の通信端末から発信されたメッセージを中継して第２の通信端末に送信すると共に、当該メッセージに基づいて、上記第１の通信端末までの経路を作成する通信端末装置において、
上記メッセージを重複して受信することにより上記第１の通信端末までの上記経路を複数作成する経路作成手段と、
上記経路作成手段により作成された複数の上記経路を記憶し、管理する経路管理手段と
を具え、
上記経路管理手段は、
作成した上記複数の経路の中から１つの上記経路を上記第１の通信端末までの通信経路として設定する一方、当該通信経路を必要に応じて上記複数の経路のうちの他の上記経路に切り換える
ことを特徴とする通信端末装置。
【請求項１８】
第１の通信端末から発信されたメッセージを中継して第２の通信端末に送信すると共に、当該メッセージに基づいて、上記第１の通信端末までの経路を作成する通信端末装置の制御方法において、
上記メッセージを重複して受信することにより上記第１の通信端末までの上記経路を複数作成する第１のステップと、
作成された複数の上記経路を記憶し、管理する第２のステップと
を具え、
上記第２のステップでは、
作成した上記複数の経路の中から１つの上記経路を上記第１の通信端末までの通信経路として設定する一方、当該通信経路を必要に応じて上記複数の経路のうちの他の上記経路に切り換える
ことを特徴とする通信端末装置の制御方法。
【請求項１９】
上記第２のステップでは、
最初の上記応答を受信後所定時間が経過し、又は上記第１の通信端末から所定数の上記返答を受信してから、当該第１通信端末との通信を開始する
ことを特徴とする請求項１８に記載の通信端末装置の制御方法。
【請求項２０】
第１の通信端末から発信されたメッセージを中継して第２の通信端末に送信すると共に、当該メッセージに基づいて、上記第１の通信端末までの経路を作成する通信端末装置を制御するためのプログラムにおいて、
上記メッセージを重複して受信することにより上記第１の通信端末までの上記経路を複数作成する第１のステップと、
作成された複数の上記経路を記憶し、管理すると共に、当該複数の経路の中から１つの上記経路を上記第１の通信端末までの通信経路として設定する一方、当該通信経路を必要に応じて上記複数の経路のうちの他の上記経路に切り換える第２のステップと
を具える処理をコンピュータに実行させるためのプログラム。
【請求項２１】
第１の通信端末から発信され、第２の通信端末を介して送信されてくるメッセージに基づいて、上記第１の通信端末までの経路を作成する通信端末装置において、
上記メッセージを重複して受信することにより上記第１の通信端末までの上記経路を複数作成する経路作成手段と、
上記経路作成手段により作成された複数の上記経路を記憶し、管理する経路管理手段と
を具え、
上記経路管理手段は、
作成した上記複数の経路の中から１つの上記経路を上記第１の通信端末までの通信経路として設定する一方、当該通信経路を必要に応じて上記複数の経路のうちの他の上記経路に切り換える
ことを特徴とする通信端末装置。
【請求項２２】
作成した上記経路ごとに上記メッセージに対する応答を送信する応答送信手段
を具えることを特徴とする請求項２１に記載の通信端末装置。
【請求項２３】
第１の通信端末から発信され、第２の通信端末を介して送信されてくるメッセージに基づいて、上記第１の通信端末までの経路を作成する通信端末装置の制御方法において、
上記メッセージを重複して受信することにより上記第１の通信端末までの上記経路を複数作成する第１のステップと、
作成した複数の上記経路を記憶し、管理する第２のステップと
を具え、
上記第２のステップでは、
作成した上記複数の経路の中から１つの上記経路を上記第１の通信端末までの通信経路として設定する一方、当該通信経路を必要に応じて上記複数の経路のうちの他の上記経路に切り換える
ことを特徴とする通信端末装置の制御方法。
【請求項２４】
第１の通信端末から発信され、第２の通信端末を介して送信されてくるメッセージに基づいて、上記第１の通信端末までの経路を作成する通信端末装置を制御するためのプログラムにおいて、
上記メッセージを重複して受信することにより上記第１の通信端末までの上記経路を複数作成する第１のステップと、
作成された複数の上記経路を記憶し、管理すると共に、当該複数の経路の中から１つの上記経路を上記第１の通信端末までの通信経路として設定する一方、当該通信経路を必要に応じて上記複数の経路のうちの他の上記経路に切り換える第２のステップと
を具える処理をコンピュータに実行させるためのプログラム。
【手続補正２】
【補正対象書類名】明細書
【補正対象項目名】００８２
【補正方法】変更
【補正の内容】
【００８２】
さらに各経路リスト３２には、「Next List」のフィールド３３５が設けられており、対応する経路の次の優先順位を有する経路と対応する経路リストへ３２のポインタがこのフィールド３３５に記述される。これにより必要時にはこのポインタに基づいて経路リスト３２を優先順位に従って検索できるようになされている。